(57)【要約】      （修正有）【課題】収納した小物品を容易に取り出す小物品収納ケースを提供する。【解決手段】小物品収納ケース１は合成樹脂から成り、開口部を有する箱状の本体部２と、本体部２と連結した蓋部３とから成っている。本体部２の矩形状の開口部２ａの短辺には、ヒンジ部２ｂが形成され、このヒンジ部２ｂを介して、開閉自在の蓋部３が本体部２と一体成型されている。本体部２内には、係止部２ｃ側の辺部の上端からヒンジ部２ｂ側にゆくにつれて深くなるように傾斜された底部２ｄが設けられている。係止部２ｃを設けた辺部の下方は、平面状の壁面２ｅとされている。また、ヒンジ部２ｂの下方の壁面２ｆと底部２ｄとは、円弧状等の曲面２ｇにより連続されている。収納された例えば錠剤Ｍを取り出す際には蓋部３を開け、指を本体部２内に入れ、錠剤Ｍを底部２ｄの傾斜に沿って係止部２ｃ側に引き出すことができる。【選択図】図２
2020183259.tif 000002
【特許請求の範囲】
【請求項１】
上部に開口部を有する箱状の本体部と、前記開口部の辺部に設けたヒンジ部を介して前記本体部と連結した開閉自在の蓋部とから成る小物品収納ケースであって、
前記本体部内に前記開口部の前記ヒンジ部の反対側の辺部から前記ヒンジ部側にゆくにつれて徐々に深くなるように傾斜した底部を設けたことを特徴とする小物品収納ケース。
【請求項２】
上部及び下部に開口部を有する角筒状の本体部と、前記上下の開口部において辺部に設けたヒンジ部を介して前記本体部と連結した開閉自在の蓋部をそれぞれ設けた小物品収納ケースであって、
前記本体部内に前記開口部の前記ヒンジ部の反対側の辺部から前記ヒンジ部側にゆくにつれて徐々に深くなるように傾斜し、上下両端から共通して使用できる底部を設けたことを特徴とする小物品収納ケース。
【請求項３】
前記蓋部は先端に爪部を有し、前記開口部の前記ヒンジ部の反対側の辺部に前記爪部と係合する係止部を設けたことを特徴とする請求項１又は２に記載の小物品収納ケース。
【請求項４】
前記底面は前記ヒンジ部の下方の壁面と曲面により連続していることを特徴とする請求項１に記載の小物品収納ケース。
【請求項５】
前記本体部の一方の壁面の外側に受口を持つ連結溝部が設けられ、他方の壁面の外側に凸条を持つ連結凸条部を設けたことで複数個を連結して使用することを特徴とする請求項１又は２に記載の小物品収納ケース。
【請求項６】
前記本体部を仕切壁により複数の収納空間に仕切られ、前記各収納空間ごとに前記傾斜した底部が形成されたことを特徴とする請求項１又は２に記載の小物品収納ケース。
【発明の詳細な説明】
【技術分野】
【０００１】
本発明は、錠剤、アクセサリや釣りの道具等の小物品を取り出し易い状態で収納するための小物品収納ケースに関するものである。
【背景技術】
【０００２】
特許文献１には、処方された薬剤やサプリメントを予め服用予定の曜日、時間帯等に区分けした薬室に収容することのできる薬収納器が開示されている。このように、予め曜日、時間帯等に区分けした薬室に薬剤を収納することにより、服用後には対応した薬室から薬剤がなくなることから、薬剤の飲み忘れを防止することができる。
【０００３】
また、アクセサリや釣りの道具等の小物品を収納するものとして、特許文献１の開閉蓋を有する薬収納器と同様な小型の小物収納ケースが広く利用されている。
【先行技術文献】
【特許文献】
【０００４】
【特許文献１】特開２０１５−１０１号公報
【発明の概要】
【発明が解決しようとする課題】
【０００５】
特許文献１の各薬室の底部は平底であることから、錠剤の薬を指でなかなか摘んで上方へ持ち上げることが難しいという問題がある。特に、爪を長くしている場合には、爪が邪魔となり錠剤の取り出しが非常に困難となる。
【０００６】
この際に、テーブル等に載置した薬収納器を持ち上げて、傾けて落下させることで取り出し易くはなるが、傾ける角度調整が難しい。
【０００７】
また、開閉蓋を開けた状態で、薬収納器や小物収納ケースを手の平の上でひっくり返すことも可能であるが、容器内の複数の収納物のうちの１つだけを取り出したい場合においては、全部の小物品が取り出されてしまい、再度収納することが面倒である。また、ひっくり返した際に、小物品の一部が紛失してしまうという問題もある。
【０００８】
本発明の目的は、上述の課題を解消し、テーブル等に載置した状態で、収納した小物品を容易に取り出すことのできる小物品収納ケースを提供することにある。
【課題を解決するための手段】
【０００９】
上記目的を達成するための本発明に係る小物品収納ケースは、上部に開口部を有する箱状の本体部と、前記開口部の辺部に設けたヒンジ部を介して前記本体部と連結した開閉自在の蓋部とから成る小物品収納ケースであって、前記本体部内に前記開口部の前記ヒンジ部の反対側の辺部から前記ヒンジ部側にゆくにつれて徐々に深くなるように傾斜した底部を設けたことを特徴とする。
【００１０】
また、本発明に係る小物品収納ケースは、上部及び下部に開口部を有する角筒状の本体部と、前記上下の開口部において辺部に設けたヒンジ部を介して前記本体部と連結した開閉自在の蓋部をそれぞれ設けた小物品収納ケースであって、前記本体部内に前記開口部の前記ヒンジ部の反対側の辺部から前記ヒンジ部側にゆくにつれて徐々に深くなるように傾斜し、上下両端から共通して使用できる底部を設けたことを特徴とする。
【発明の効果】
【００１１】
本発明に係る小物品収納ケースによれば、テーブル等に載置した状態で、底面が傾斜しているので、容器内に収納した錠剤、アクセサリや釣りの道具等の小物品を爪が伸びている指であっても、テーブル等に載置した状態で取り出すことが可能である。
【図面の簡単な説明】
【００１２】
【図１】実施例１の小物品収納ケースの斜視図である。
【図２】実施例１の使用説明図である。
【図３】実施例２の小物品収納ケースの斜視図である。
【図４】実施例２の断面図である。
【図５】実施例３の複数個の小物品収納ケースを連結した状態の平面図である。
【図６】実施例３の複数個の小物品収納ケースを連結した状態の斜視図である。
【図７】実施例３の複数の収納空間を有する収納ケースの斜視図である。
【発明を実施するための形態】
【００１３】
本発明を図示の実施例に基づいて詳細に説明する。
【実施例１】
【００１４】
図１は実施例１の小物品収納ケースの蓋部を開いた状態の斜視図である。小物品収納ケース１は合成樹脂から成り、上部に開口部２ａを有する箱状の本体部２と、本体部２に連結した蓋部３とから成っている。本体部２の矩形状の開口部２ａの短辺には、樹脂を肉薄とすることによるヒンジ部２ｂが形成され、このヒンジ部２ｂを介して、開口部２ａに対して開閉自在とする蓋部３が本体部２に一体成型されている。
【００１５】
蓋部３の先端には爪部３ａが設けられ、ヒンジ部２ｂを設けた開口部２ａの対向辺部に係止部２ｃが設けられている。爪部３ａが係止部２ｃに対して係止状態になることで、蓋部３の閉止がロックされ、蓋部３の閉止状態が維持される。
【００１６】
本体部２内には、係止部２ｃ側の開口部２ａの辺部の上端からヒンジ部２ｂ側にゆくにつれて、徐々に緩やかに深くなるように傾斜された底部２ｄが設けられている。底部２ｄの裏面側は中空状とされており、係止部２ｃを設けた辺部の下方は、平面状の壁面２ｅとされている。また、ヒンジ部２ｂの下方の壁面２ｆと傾斜された底部２ｄとは、円弧状等の曲面２ｇにより連続されている。更に、開口部２ａの長辺側の両側面は壁面２ｈ、２ｉとされている。
【００１７】
本実施例の小物品収納ケース１内に収納された例えば錠剤Ｍを取り出す際には、爪部３ａ、係止部２ｃによる係止を外して蓋部３を開け、図２に示すように、人指し指を本体部２内に入れ、錠剤Ｍを底部２ｄの傾斜に沿って係止部２ｃ側に引き上げる。
【００１８】
特に、壁面２ｆと底部２ｄが曲面２ｇにより連結されていることによって、本体部２の最下面に収納されている錠剤Ｍをも簡便に取り出すことができる。また、指先の爪が伸びている場合であっても、取り出し難くなることはなく、簡単に錠剤Ｍを取り出すことが可能である。
【実施例２】
【００１９】
図３は実施例２の小物品収納ケース１０の斜視図、図４は断面図である。本体部２０は上部、下部に開口部２０ａ、２０ｂを持つ角筒状とされ、本体部２０の内部に、本体部２０の長手方向に沿って一方の短辺２０ｃの上部から他方の短辺２０ｄの下部に向けて徐々に深くなる底部２０ｅが形成されている。また、本体部２０は上下対称とされており、本体部２０の上下を逆にすれば全く同形となる。
【００２０】
開口部２０ａにおいて、短辺２０ｃの上部には蓋部３０がヒンジ部２０ｆにより連結されるように成型されている。蓋部３０の先端には実施例１と同様に爪部３０ａが設けられ、本体部２０の短辺２０ｃの上部には爪部３０ｃに対応する係止部２０ｇが設けられている。
【００２１】
一方の開口部２０ｂにおいても、短辺２０ｃの下部にヒンジ部２０ｈを介して蓋部４０が連結され、蓋部４０の他端には爪部４０ａが設けられ、短辺２０ｄには爪部４０ａに対応する係止部２０ｉが設けられている。
【００２２】
従って、蓋部３０は本体部２０の開口部２０ａを開閉し、蓋部４０は開口部２０ｂを全く同様に開閉する機能を有しており、底部２０ｅは上下の開口部２０ａ、２０ｂ側から共通して使用できるようになっている。
【００２３】
このように、実施例２の小物品収納ケース１０は、上下の収容空間を本体部２０の上下面部を逆にしてそれぞれ使用可能であり、それぞれに小物品を収納することが可能であり、例えば上部の収容空間には午前中に飲む錠剤を入れ、下部の収容空間には午後に飲む錠剤を入れるなどの使用ができる。
【実施例３】
【００２４】
図５〜図７は実施例１の小物品収納ケース１を複数個並べて使用する実施例３を示している。
【００２５】
図５、図６に示すように、複数の小物品収納ケース１同士を連結して使用することが可能である。連結可能な小物品収納ケース１には、本体部２の一方の壁面２ｉの外側に、上方に受口を持つ１対の連結溝部２ｊを設け、他方の壁面２ｈの外側に下方に向けて、凸条を持つ１対の連結凸条部２ｋを設けている。そして、連結凸条部２ｋを上方から連結溝部２ｊに差し込み、下方に押し込むことにより、小物品収納ケース１同士を連結することができる。
【００２６】
このように、複数の小物品収納ケース１同士を連結することにより、例えば曜日、時間帯等の区分が可能となり、図６に示すように７個の小物品収納ケース１を連結することで、１週間の曜日毎に錠剤Ｍを収納することができる。
【００２７】
また、図７は変形例の複数の収納空間を有する小物品収納ケース１’の斜視図である。幅広の本体部２の壁面２ｈ、２ｉ間には、複数の仕切壁２ｌを設けられている。これらの仕切壁２ｌによって仕切られた収納空間に対して、蓋部３は共通の幅広とした構造としてもよいし、図６に示すように各収納空間毎に開閉可能な蓋部３を採用してもよい。
【００２８】
仕切壁２ｌによって仕切られた各収納空間には、前述した傾斜した底部２ｄ及び曲面２ｇを有している。また、蓋部３の先端中央に爪部３ａを有し、開口部２ａのヒンジ部２ｂの反対側の辺部であって、壁面２ｅの上端中央には、爪部３ａと係合する係止部２ｃを設けている。
【００２９】
小物品収納ケース１’は仕切壁２ｌにより、例えば１週間に相当する７つの収納空間に仕切ると１週間も曜日に対応して利便性が高い。図６、図７に示すような複数の収納空間を有する小物品収納ケース１、小物品収納ケース１’においては、曜日の記載したシール等を蓋部３の表面にそれぞれ貼り付けることにより、薬の飲み忘れを防止することができる。
【００３０】
なお、実施例２の小物品収納ケース１０についても、図５〜図７のように使用することは可能である。
【００３１】
また、本実施例では小物品として錠剤を用いて説明しているが、錠剤以外にもイヤリング等のアクセサリ用として、又は重りや浮き等の釣りの道具用として、小物品収納ケース１０を用いることができ、小物品収納ケース１０の収納可能な様々な小物品に対して使用することができる。
【符号の説明】
【００３２】
１、１’、１０   小物品収納ケース
２、２０  本体部
２ａ、２０ａ、２０ｂ  開口部
２ｂ、２０ｆ、２０ｈ  ヒンジ部
２ｃ、２０ｇ、２０ｉ  係止部
２ｄ  底面
２ｅ、２ｆ、２ｈ、２ｉ  壁面
２ｇ  曲面
２ｊ  連結溝部
２ｋ  連結凸条部
２ｌ  仕切壁
３、３０、４０  蓋部
３ａ、３０ａ、４０ａ  爪部
【図１】
2020183259.tif 000003
【図２】
2020183259.tif 000004
【図３】
2020183259.tif 000005
【図４】
2020183259.tif 000006
【図５】
2020183259.tif 000007
【図６】
2020183259.tif 000008
【図７】
2020183259.tif 000009